(57)【特許請求の範囲】
【請求項１】
片面が粘着面となる粘着テープをロール状に巻いた粘着テープ巻付体を回転自在に支持するテープ支持部と、前記粘着テープ巻付体から引き出された前記粘着テープを切り取るカット部とを有するテープカッターであって、
前記テープ支持部と前記カット部との間に設けられ、引き出された前記粘着テープの一方の側部を折り曲げて前記粘着面を内側とした折り曲げ部を形成する折り曲げ手段と、
前記テープ支持部と前記折り曲げ手段との間に設けられ、前記折り曲げ部の寸法を規制する寸法規制手段と、
前記折り曲げ手段と前記カット部との間に設けられ、前記折り曲げ部において対向する前記粘着面同士を互いに押し付ける押し付け手段とを有し、
前記折り曲げ手段が、前記粘着テープの厚み寸法より僅かに厚く形成されたスリット状の挿出口と前記挿出口より厚く形成された挿入口とを有するくさび形の切欠部を有し、前記挿出口において前記折り曲げ部が形成されて、前記粘着面の一方の側部に非接着部分を形成することを特徴とするテープカッター。
【請求項２】
請求項１記載のテープカッターにおいて、
前記押し付け手段が前記粘着テープの送り方向を変えるガイドローラーであることを特徴とするテープカッター。
【請求項３】
請求項２記載のテープカッターにおいて、
前記ガイドローラーを駆動する電動モータと前記粘着テープの送り出し寸法を検出する寸法検出手段と前記寸法検出手段の検出信号に基づいて前記電動モータを制御する制御手段とを有し、所定の長さの前記粘着テープを自動で送り出すことを特徴とするテープカッター。
【請求項４】
請求項３記載のテープカッターにおいて、
前記カット部が設けられるとともに前記粘着テープを前記ガイドローラーに押し付ける押さえローラーを支持する蓋部材が設けられ、前記蓋部材が前記押さえローラーを前記ガイドローラーから離れる方向に開閉自在であることを特徴とするテープカッター。
【請求項５】
請求項３または４記載のテープカッターにおいて、
前記押さえローラーが前記ガイドローラーに対して移動可能に設けられ、前記押さえローラーを移動させることにより前記電動モータが作動を開始することを特徴とするテープカッター。
【発明の詳細な説明】
【０００１】
【発明の属する技術分野】
本発明は粘着テープ巻付体から所望の長さの粘着テープを切り取るために用いられるテープカッターに関する。
【０００２】
【従来の技術】
粘着テープは、布、セロハン、クラフト紙、ゴム、ポリ塩化ビニルなどの基材の一面または両面にゴムまたは合成樹脂を主材とする粘着剤を塗布したテープであり、通常、この粘着テープはロール状に巻かれて粘着テープ巻付体とされている。このような粘着テープは、袋口や箱の蓋部の封緘など様々な用途に用いられている。
【０００３】
この粘着テープを使用する際には、粘着テープ巻付体から粘着テープを引き出して所望の長さで切断することになるが、このような作業を容易にするためにテープカッターが用いられる。
【０００４】
テープカッターは粘着テープ巻付体を回転自在に支持するテープホルダと引き出された粘着テープを切断するカット部とを有しており、鋏やカッターナイフ等の道具を用いずに容易に粘着テープの引き出しと切断の作業を行うことができるようになっている。
【０００５】
【発明が解決しようとする課題】
このようなテープカッターにより切り取られた粘着テープは、その基材は薄く、また、基材の片面全体に粘着剤が塗布されているため、貼り付けられたこの粘着テープを剥がす際には、その外周部を爪等で捲り起こして摘み代を形成したり粘着テープ自体を切断する必要があった。そのため、粘着テープを剥がすのが困難であり、また場合によっては鋏やカッターナイフ等の道具を必要とすることになっていた。たとえば、コンビニエンスストアなどで弁当や惣菜などの食品を販売する場合に、ソースやドレッシングなどの調味料が封入された調味袋を食品の包装容器の外側に貼り付けるために幅寸法が１０数ｍｍ程度の粘着テープが使用されている。このときに、粘着テープの全面が粘着剤により貼り付けられることとなると、購入者が調味袋を取り外す際に、その操作が極めて困難となる。
【０００６】
粘着テープを用いて調味袋を食品容器に貼り付ける際に、後で行われる剥がし操作を容易にするには、粘着テープの一端部を内側に折り曲げるようにすれば、その部分は貼り付けられることがなく、浮いた状態となる。したがって、剥がす際にはその浮いた部分を手に持って粘着テープを容易に引き剥がすことができるが、粘着テープを貼り付ける際に常に粘着テープの端部を折り曲げる操作を行うこととなり粘着テープの貼り付け作業が煩雑となる。
【０００７】
また、種々の物品をダンボールなどからなる包装箱に梱包する際には、幅５０ｍｍ程度の梱包用の粘着テープを用いて包装箱が封止されるが、粘着テープの全面を包装箱に貼り付けたのでは、開梱時に粘着テープを剥がす操作が容易ではない。
【０００８】
本発明の目的は、容易に剥がすことができる粘着テープを形成するテープカッターを提供することにある。
【０００９】
【課題を解決するための手段】
本発明のテープカッターは、片面が粘着面となる粘着テープをロール状に巻いた粘着テープ巻付体を回転自在に支持するテープ支持部と、前記粘着テープ巻付体から引き出された前記粘着テープを切り取るカット部とを有するテープカッターであって、前記テープ支持部と前記カット部との間に設けられ、引き出された前記粘着テープの一方の側部を折り曲げて前記粘着面を内側とした折り曲げ部を形成する折り曲げ手段と、前記テープ支持部と前記折り曲げ手段との間に設けられ、前記折り曲げ部の寸法を規制する寸法規制手段と、前記折り曲げ手段と前記カット部との間に設けられ、前記折り曲げ部において対向する前記粘着面同士を互いに押し付ける押し付け手段とを有し、前記折り曲げ手段が、前記粘着テープの厚み寸法より僅かに厚く形成されたスリット状の挿出口と前記挿出口より厚く形成された挿入口とを有するくさび形の切欠部を有し、前記挿出口において前記折り曲げ部が形成されて、前記粘着面の一方の側部に非接着部分を形成することを特徴とする。
【００１３】
本発明のテープカッターは、前記押し付け手段が前記粘着テープの送り方向を変えるガイドローラーであることを特徴とする。
【００１４】
本発明のテープカッターは、前記ガイドローラーを駆動する電動モータと前記粘着テープの送り出し寸法を検出する寸法検出手段と前記寸法検出手段の検出信号に基づいて前記電動モータを制御する制御手段とを有し、所定の長さの前記粘着テープを自動で送り出すことを特徴とする。
【００１５】
本発明のテープカッターは、前記カット部が設けられるとともに前記粘着テープを前記ガイドローラーに押し付ける押さえローラーを支持する蓋部材が設けられ、前記蓋部材が前記押さえローラーを前記ガイドローラーから離れる方向に開閉自在であることを特徴とする。
【００１６】
本発明のテープカッターは、前記押さえローラーが前記ガイドローラーに対して移動可能に設けられ、前記押さえローラーを移動させることにより前記電動モータが作動を開始することを特徴とする。
【００１７】
本発明にあっては、テープカッターに、粘着テープの一方の側部に粘着面を内側とした折り曲げ部を形成する折り曲げ手段と、折り曲げ部の寸法を規制する寸法規制手段と、折り曲げ部において対向する粘着面同士を互いに押し付ける押し付け手段とを設け、テープ巻付体から引き出された粘着テープの一方の側部に非接着部分を形成するようにしたので、容易に剥がすことができる粘着テープを切り取ることができる。
【００１８】
【発明の実施の形態】
以下、本発明の実施の形態を図面に基づいて詳細に説明する。
【００１９】
図１は本発明の一実施の形態であるテープカッターを示す斜視図であり、図２は図１に示すテープカッターの構造を示す一部切欠平面図であり、図３は図２におけるＡ−Ａ線に沿う断面図である。また、図４（ａ）〜（ｃ）はそれぞれ図２に示す折り曲げブロック、規制ローラー、送り出し機構の詳細を示す斜視図であり、図５（ａ）は非接着部分が形成された粘着テープの詳細を示す斜視図であり、図５（ｂ）は貼り付けられた状態の粘着テープを示す斜視図である。さらに、図６は図２に示す歯車列の詳細を示す断面図である。
【００２０】
図１に示すテープカッター１は、片面が粘着面となる粘着テープをロール状に巻いた粘着テープ巻付体２から所望の長さの粘着テープ２ａを切り取るために用いられるものであり、粘着テープ２ａの送り出しを自動に行うようにしたものである。
【００２１】
このテープカッター１は、ベース部３とこのベース部３に固定された本体カバー４およびこの本体カバー４の上面を閉塞する開閉自在の上部カバー５とを有する略直方体形状に形成されており、その長手方向の一端には粘着テープ巻付体２を収容するテープ収容部６が設けられ、また、長手方向他端には粘着テープ巻付体２から引き出された粘着テープ２ａが送り出される送出口７が形成されている。
【００２２】
図２、図３に示すように、この本体カバー４の内部には前述のテープ収容部６とそれぞれ隔壁８，９により区画された歯車室１０とテープ案内室１１およびセンサ室１２とが設けられている。
【００２３】
テープ収容部６には、その外周面に粘着テープ巻付体２が嵌合固定されるテープ支持部としてのテープホルダ１３が取り付けられている。このテープホルダ１３は円柱形状に形成されており、その軸心に設けられたホルダ軸１４がテープ収容部６の両側壁に設けられたホルダ支持溝１５ａ，１５ｂの下端部で支持されることにより回転自在となっている。また、このホルダ支持溝１５ａ，１５ｂは、その開口端に対して下端部の位置が送出口７の方向にずれるように傾斜角を有して形成されており、粘着テープ巻付体２から粘着テープ２ａを引き出す際の張力により粘着テープ巻付体２がホルダ支持溝１５ａ，１５ｂから脱落することを防ぐようになっている。
【００２４】
テープ案内室１１の一端側はテープ収容部６と連続して設けられており、その他端側には送出口７が形成される開閉蓋１６が位置するようになっている。そして、テープホルダ１３に支持された粘着テープ巻付体２から引き出された粘着テープ２ａはテープ収容部６からこのテープ案内室１１を経て送出口７から送り出されるようになっている。
【００２５】
開閉蓋１６の内側にはカット部としてのカッター刃１７が取り付けられている。このカッター刃１７の先端部は送出口７の上側の端面より下方に位置しており、送出口７から送り出された粘着テープ２ａを上方に引き上げることにより粘着テープ巻付体２から引き出された粘着テープ２ａを切り取ることができるようになっている。なお、本実施の形態においては、カット部は開閉蓋１６の内側に固定されたカッター刃１７となっているがこれに限らず、電動モータ等の駆動源に駆動される可動刃を有し、送出口７において自動的に粘着テープ２ａを切断するものとしてもよい。
【００２６】
また、このテープ案内室１１には、非接着部形成機構１８と送り部１９とが配置されている。
【００２７】
非接着部形成機構１８は、折り曲げ手段としての折り曲げブロック２０と寸法規制手段としての規制ローラー２１および支持ロッド２２とを有している。
【００２８】
折り曲げブロック２０はテープホルダ１３とカッター刃１７との略中央に位置して隔壁９に固定されている。この折り曲げブロック２０には、粘着テープ２ａの厚み寸法より僅かに厚く形成されたスリット状の挿出口２３ａとこの挿出口２３ａより厚く形成された挿入口２３ｂとを有するくさび形の切欠部２３を有している。この切欠部２３には、図４（ａ）に示すように、粘着テープ巻付体２から引き出された粘着テープ２ａが一方の側部を粘着面２ａＡを内側として折り曲げられ、挿出口２３ａにおいて折り曲げ部２４が形成されるように挿通されている。また、このとき折り曲げ部２４の端部は切欠部２３の側面部２３ｃと接している。
【００２９】
規制ローラー２１はテープホルダ１３と折り曲げブロック２０との間に設けられている。この規制ローラー２１は、粘着テープ２ａの幅寸法より薄い外周面２１ａを有する円盤状に形成されており、ローラー軸２６に支持されることにより回転自在となっている。この外周面２１ａは、粘着テープ２ａの一方の側部側に偏ってすなわち折り曲げブロック２０により折り曲げられる寸法となる位置において粘着面２ａＡと接するように配置されており、粘着テープ２ａを折り曲げブロック２０方向へ案内するようになっている。折り曲げ部２４は、図４（ｂ）に示すように、この規制ローラー２１により粘着テープ２ａと規制ローラー２１とが接する部分を越えて曲がることが規制されるので、その寸法を規制されて一定の寸法となる。なお、本実施の形態においては、規制ローラー２１は円盤状に形成されているがこれに限らず、粘着テープ２ａの粘着面２ａＡの折り曲げ部２４以外の部分全体に接する外周面を有する円筒形もしくは円柱形のものとしてもよい。
【００３０】
支持ロッド２２は、規制ローラー２１と折り曲げブロック２０との間に設けられており、折り返し部２４の非接着面２ａＢがその外周面に接することにより、粘着テープ２ａの折り曲げ部２４の折り曲げ量を安定させることができるようになっている。
【００３１】
送り部１９は折り曲げブロック２０とカッター刃１７との間に設けられており、押し付け手段つまりガイドローラーとしての送りローラー２８と送出ローラー２９とを有している。送りローラー２８は円盤状に形成された６枚のローラー片３０をローラー軸３１の軸方向に所定の間隔を置いて固定したものとなっている。また、送出ローラー２９は円盤状に形成された５枚のローラー片３２をローラー軸３３の軸方向に所定の間隔を置いて固定したものとなっている。そして、送りローラー２８と送出ローラー２９は互いのローラー片３０，３２が交互に隣り合うように配置されている。また、送りローラー２８と送出ローラー２９には、それぞれこの送りローラー２８もしくは送出ローラー２９に向けて付勢された状態とされた押し付け手段つまりガイドローラーとしてのサブローラー３４，３５が隣接されている。これらのサブローラー３４，３５は、開閉蓋１６に回転自在に支持されている。そして、図４（ｃ）に示すように、折り曲げブロック２０から送られる粘着テープ２ａは、送りローラー２８とサブローラー３４および送出ローラー２９とサブローラー３５の間にはさまれた状態とされて、その送り方向を変えられている。したがって、この送り部１９を通過した粘着テープ２ａは、この折り曲げ部２４において対向する粘着面２ａＡ同士が互いに押し付けられることになり、図５（ａ）に示すように、斜線で示される粘着面２ａＡの一方の側部にこの粘着面２ａＡと隣り合う非接着面２ａＢつまり非接着部分３６が形成されることになる。
【００３２】
このテープカッター１には送りローラー２８と送出ローラー２９を駆動するための電動モータ３７が設けられている。この電動モータ３７はベース部３とテープ案内室１１との間に位置して隔壁８に固定されており、ベース部３に設けられた制御手段としての制御装置３８によりその作動を制御されるようになっている。また、この電動モータ３７の出力をそれぞれ送りローラー２８もしくは送出ローラー２９が固定されたローラー軸３１，３３に伝達するために、歯車室１０には歯車列３９が設けられている。
【００３３】
図６に示すように、この歯車列３９は電動モータ３７の出力軸３７ａに固定されたモータ側プーリー４０と、このモータ側プーリー４０の回転がベルト４１を介して伝達される従動側プーリー４２と、この従動側プーリー４２の回転をローラー軸３１に固定された第１駆動歯車４３に伝達する伝達歯車４４と、第１駆動歯車４３の回転をローラー軸３３に固定された第２駆動歯車４５に伝達する中間歯車４６とからなっている。したがって、電動モータ３７の出力は、この歯車列３９を介してそれぞれ送りローラー２８もしくは送出ローラー２９を図中に矢印で示す方向に回転させることになる。
【００３４】
図７は図２に示すサブローラーの移動状態を示す断面図であり、図８は図２に示す開閉蓋を開いた状態を示す断面図である。
【００３５】
図７に示すように、押さえローラーとしてのサブローラー３５は、開閉蓋１６に支持されるとともに送出ローラー２９に対して付勢されて粘着テープ２ａを送出ローラー２９に押し付けるとともに図中上方に向けて移動可能に設けられている。このサブローラー３５のローラー軸４７の一端には図示しないスイッチ部材が設けられている。そして、このサブローラー３５が図中に示すように図中上方に移動されることによりスイッチ部材から制御装置３８に向けてスイッチ信号が出力されるようになっている。なお、本実施の形態においては、サブローラー３５が図中上方に移動されることによりスイッチ信号が出力されるようにしているがこれに限らず、たとえば前述のようにカット部を可動刃を有するものとした場合には、この可動刃の作動によりスイッチ信号が出力されるようにしてもよい。
【００３６】
センサ室１２には、送出口７から送り出される粘着テープ２ａの送り出し寸法を検出するための寸法検出手段としてのカウントエンコーダ４８が設けられている。このカウントエンコーダ４８は折り曲げブロック２０と送りローラー２８との間において粘着テープ２ａの送り出し寸法を検出するようになっており、その検出信号は制御装置３８に向けて出力されるようになっている。また、制御装置３８には、図示しない調節部が接続されており、カウントエンコーダ４８が制御装置３８に向けて検出信号を出力することとなる送り出し寸法の値を調整することができるようになっている。したがって、このテープカッター１から送り出される粘着テープ２ａの長さを任意に調整することができるようになっている。
【００３７】
次に、このテープカッターの作動について説明する。
【００３８】
まず、粘着テープ巻付体２をテープホルダ１３に嵌め込んだ状態としてテープ収容部６に収容する。そして上部カバー５を取り外すとともに開閉蓋１６を開き、粘着テープ巻付体２から引き出した粘着テープ２ａの一方の側部を挿出口２３ａにおいて粘着面２ａＡを内側として折り曲げた状態として折り曲げブロック２０の切欠部２３に挿通させる。さらに、この粘着テープ２ａを送りローラー２８および送出ローラー２９とサブローラー３４，３５との間に通してその先端部を送出口７に位置させることになる。なお、蓋部材としての開閉蓋１６は、図８に示すように、サブローラー３４，３５をそれぞれ送りローラー２８もしくは送出ローラー２９から離れる方向となるように開閉軸１６ａを支点として開閉自在となっており、この開閉蓋１６を開いた状態とすることで粘着テープ２ａを送りローラー２８もしくは送出ローラー２９とサブローラー３４，３５との間に通すことを容易にしている。この状態で上部カバー５と開閉蓋１６とを閉じることにより、粘着テープ２ａがテープカッター１に対してセットされることになる。
【００３９】
この状態で電動モータ３７を作動させることにより、送りローラー２８および送出ローラー２９によって粘着テープ巻付体２から順次粘着テープ２ａが引き出されるとともにこの粘着テープ２ａが送出口７に向けて自動で送り出されることになる。また、送り出される粘着テープ２ａの長さは、図示しない調節部により任意の値に設定することができる。
【００４０】
このとき、図４（ａ）に示すように、折り曲げブロック２０の挿出口２３ａにおける粘着テープ２ａはその一方の側部を粘着面２ａＡを内側として折り曲げられた状態となっている。この粘着テープ２ａの一方の側部は切欠部２３の側面部２３ｃに接しており、また、挿出口２３ａが粘着テープ２ａの厚み寸法より僅かに厚く形成されていることにより、折り曲げ部２４が元に戻ることが規制されている。そのため、挿入口２３ｂから挿出口２３ａに向けて送られる粘着テープ２ａは切欠部２３に内部において順次折り曲げられ、挿出口２３ａから挿出される粘着テープ２ａの一方の側部に連続的に折り曲げ部２４が形成されることになる。
【００４１】
また、折り曲げブロック２０により折り曲げられる折り曲げ部２４の寸法は、規制ローラー２１により所定の寸法に規制されるようになっている。すなわち、図４（ｂ）に示すように、規制ローラー２１の外周面２１ａは粘着テープ２ａの一方の側部側に偏ってつまり折り曲げブロック２０により折り曲げられる寸法となる位置において粘着面２ａＡと接している。つまり、折り曲げブロック２０により折り曲げられる折り曲げ部２４はこの規制ローラ−２１と接する部分を越えて折り曲げられることがない。
【００４２】
折り曲げブロック２０により折り曲げられた粘着テープ２ａは、図４（ｃ）に示すように、送りローラー２８および送出ローラー２９とサブローラー３４，３５との間を通って送出口７へと案内されるようになっている。このとき、粘着テープ２ａが送りローラー２８に与える張力とサブローラー３４，３５の押し付け力とにより、粘着テープ２ａの折り曲げ部２４の対向する粘着面２ａＡ同士が互いに押し付けられて、図５（ａ）に示すように、粘着面２ａＡの一方の側部に非接着部分３６が形成されることになる。
【００４３】
このように、このテープカッター１を用いることにより、粘着テープ２ａの粘着面２ａＡの一方の側部に非接着部分３６を形成することができるので、容易に剥がすことができる粘着テープ２ａを切り取ることができる。つまり、図５（ｂ）に示すように、この粘着テープを貼り付けた際にはその一方の側部が浮いた状態となるため、この部分を手に持って容易に引き剥がすことができる。なお、この粘着テープ２ａの非接着面２ａＢに、図中に示すように、非接着部分３６を示す文字もしくは記号等を印刷するようにしてもよい。
【００４４】
このような一連の工程は、粘着テープ巻付体２から順次粘着テープ２ａが引き出されるとともに、この粘着テープ２ａが粘着テープ巻付体２から送出口７に向けて送り出されることにより連続的に行われることになる。そして、カウントエンコーダ４８が粘着テープ２ａが所定の送り寸法だけ送り出されたことを検出すると制御装置３８は電動モータ３７の作動を停止させるようになっている。したがって、送出口７からは、所望の長さの粘着テープ２ａが送り出された状態となって粘着テープ２ａの送り出しが停止することになる。そして、使用者がこの粘着テープ２ａを送出口７の図中上方に向けて引き上げるとカッター刃１７によりこの粘着テープ２ａが切り取られる。このとき、粘着テープ２ａの切断とともに、この粘着テープ２ａにより上方に移動されたサブローラー３５によりスイッチ部材から制御装置３８に向けてスイッチ信号が出力されることになる。そしてこの制御装置３８は再度電動モータ３７を作動させて粘着テープ２ａを送り出すことになる。
【００４５】
このように、このテープカッター１に送りローラー２８および送出ローラー２９を駆動する電動モータ３７と粘着テープ２ａの送り出し寸法を検出するカウントエンコーダ４８と制御装置３８とを設けたことにより、一方の側部に非接着部分３６が形成された所望の長さの粘着テープ２ａを送出口７から自動的に送り出させることができる。
【００６０】
【発明の効果】
本発明によれば、テープカッターに、粘着テープの一方の側部に粘着面を内側とした折り曲げ部を形成する折り曲げ手段と、折り曲げ部の寸法を規制する寸法規制手段と、折り曲げ部において対向する粘着面同士を互いに押し付ける押し付け手段とを設け、テープ巻付体から引き出された粘着テープの一方の側部に非接着部分を形成するようにしたので、容易に剥がすことができる粘着テープを切り取ることができる。
【００６１】
また、このテープカッターにガイドローラーを駆動する電動モータと、粘着テープの送り出し寸法を検出する寸法検出手段と、寸法検出手段の検出信号に基づいて電動モータを制御する制御手段とを設けて、所定の長さの粘着テープを自動で送り出すようにしたので、一方の側部に非接着部分が形成された粘着テープを容易に得ることができる。
【図面の簡単な説明】
【図１】本発明の一実施の形態であるテープカッターを示す斜視図である。
【図２】図１に示すテープカッターの構造を示す一部切欠平面図である。
【図３】図２におけるＡ−Ａ線に沿う断面図である。
【図４】（ａ）〜（ｃ）はそれぞれ図２に示す折り曲げブロック、規制ローラー、送り出し機構の詳細を示す斜視図である。
【図５】（ａ）は非接着部分が形成された粘着テープの詳細を示す斜視図であり、（ｂ）は貼り付けられた状態の粘着テープを示す斜視図である。
【図６】図２に示す歯車列の詳細を示す断面図である。
【図７】図２に示すサブローラーの移動状態を示す断面図である。
【図８】図２に示す開閉蓋を開いた状態を示す断面図である。
【図１】
0003683190.tif 000002
【図２】
0003683190.tif 000003
【図３】
0003683190.tif 000004
【図４】
0003683190.tif 000005
【図５】
0003683190.tif 000006
【図６】
0003683190.tif 000007
【図７】
0003683190.tif 000008
【図８】
0003683190.tif 000009